(57)【要約】【課題】  表示板に立体感があり、且つ、透明突出部の形成位置が、若干ずれたとしても、表示板の見栄えが良好でなくなる虞が少ない表示装置を提供する。【解決手段】  表示装置は、指針１０と、指針１０に指示される目盛り部４１ａを有する表示板４０とを備える。表示板４０は、目盛り部４１ａに対応する個所に形成された透明突出部４２を有する。透明突出部４２は、目盛り部４１ａよりも幅広である。表示板４０は、目盛り部４１ａの近傍に設けられた数字部４１ｃと、数字部４１ｃに対応する個所に形成された第二の透明突出部４２とを有する。【選択図】  図４
2018040650.tif 000002
【特許請求の範囲】
【請求項１】
指針と、前記指針に指示される目盛り部を有する表示板と、を備えた表示装置であって、
前記表示板は、前記目盛り部に対応する個所に形成された透明突出部を有し、前記透明突出部は、前記目盛り部よりも幅広であることを特徴とする表示装置。
【請求項２】
前記表示板は、前記目盛り部の近傍に設けられた数字部と、前記数字部に対応する個所に形成された第二の透明突出部と、を有することを特徴とする請求項１に記載の表示装置。
【請求項３】
前記表示板は、前記指針に指示される副目盛り部を有し、前記副目盛り部に対応する個所には、透明突出部が形成されていないことを特徴とする請求項１に記載の表示装置。
【発明の詳細な説明】
【技術分野】
【０００１】
本発明は、表示板の指標部を指針にて指示する表示装置に関するものである。
【背景技術】
【０００２】
従来より、表示板の指標部（目盛り，数字）を指針にて指示する表示装置が種々提案されており、例えば特許文献１に開示されている。斯かる表示装置は、表示板の指標部に対応する個所に透明突出部を形成したものであり、表示板が立体的になるため、表示装置に高級感がある。
【先行技術文献】
【特許文献】
【０００３】
【特許文献１】実開昭６２−１４０４８５号公報
【発明の概要】
【発明が解決しようとする課題】
【０００４】
しかしながら、透明突出部の形成位置が、指標部に対して、若干ではあるが、ずれてしまうことがあり、この透明突出部の位置ずれによって、表示板の見栄えが良好でなくなるという問題を有していた。
本発明は、この問題に鑑みなされたものであり、透明突出部の形成位置が、若干ずれたとしても、表示板の見栄えが良好でなくなる虞が少ない表示装置を提供するものである。
【課題を解決するための手段】
【０００５】
本発明は、指針１０と、前記指針１０に指示される目盛り部４１ａを有する表示板４０と、を備えた表示装置であって、前記表示板４０は、前記目盛り部４１ａに対応する個所に形成された透明突出部４２を有し、前記透明突出部４２は、前記目盛り部４１ａよりも幅広であることを特徴とする。
【０００６】
また、本発明は、前記表示板４０は、前記目盛り部４１ａの近傍に設けられた数字部４１ｃと、前記数字部４１ｃに対応する個所に形成された第二の透明突出部４２と、を有することを特徴とする。
【０００７】
また、本発明は、前記表示板４２は、前記指針１０に指示される副目盛り部４１ｂを有し、前記副目盛り部４１ｂに対応する個所には、透明突出部４２が形成されていないことを特徴とする。
【発明の効果】
【０００８】
目盛り部に対応する個所に透明突出部を形成したことにより、立体感がある表示板になり、且つ、透明突出部４２を目盛り部よりも幅広にしたことにより、透明突出部の形成位置が、若干ずれたとしても、表示板の見栄えが良好でなくなる虞が少ない。
【図面の簡単な説明】
【０００９】
【図１】本発明の第一実施形態を示す断面図。
【図２】同上実施形態を示す正面図。
【図３】同上実施形態を示す拡大断面図。
【図４】同上実施形態を示す要部拡大断面図。
【図５】同上実施形態を示す要部拡大正面図。
【図６】同上実施形態を示す要部拡大断面図。
【図７】同上実施形態を示す拡大図。
【図８】同上実施形態を示す拡大図。
【図９】同上実施形態を示す拡大図。
【図１０】比較例を示す図。
【図１１】本発明の第二実施形態を示す要部拡大断面図。
【図１２】同上実施形態を示す要部断面拡大図。
【発明を実施するための形態】
【００１０】
以下、添付図面に基づいて、本発明の一実施形態を説明する。図１乃至図９は、第一実施形態を示す図である。車両用表示装置は、指針１０と、回路基板２０と、ケース体３０と、表示板４０と、液晶表示器５０と、後面カバー６０と、を備えている。
【００１１】
指針１０は、透光性樹脂からなる指示部１１と、不透明な樹脂からなる指針キャップ１２と、回動軸２２ａが圧入されるボス部１３と、指示部１１を載置する指針座１４とを有している。指針１０は、表示板４０の指標部４１を指示部１１にて指示する。指針１０のボス部１３及び指針座１４は、黒色樹脂にて一体形成されている。回路基板２０は、基板本体２１と、基板本体２１の後面側に実装された指針駆動部２２と、基板本体２１の表面側に実装された発光素子２４，２５と、を備えており、表示板４０の後側に配置されている。
【００１２】
基板本体２１は、平板状のガラスエポキシ系基材に、指針駆動部２２を駆動させる駆動回路、発光素子２４，２５を発光させる発光回路等を形成した硬質プリント基板からなる。駆動回路及び発光回路は、夫々、配線パターン，抵抗，コンデンサ等によって構成される。駆動回路は、制御部から供給される制御信号に基づいて、指針駆動部２２を駆動する。発光回路は、制御部から供給される制御信号に基づいて、発光素子２４，２５を発光させる。
【００１３】
指針駆動部２２は、可動磁石式駆動装置，ステッピングモータ等からなるものである。指針駆動部２２の回動軸２２ａは、基板本体２１に形成された貫通孔２１ａに挿入され、指針駆動部２２の回動軸２２ａには、指針１０が取り付けられる。指針１０のボス部１３は、表示板４０に形成された貫通孔４０ｃに挿入される。表示板４０の貫通孔４０ｃは、指針駆動部２２の回動軸２２ａに対応する個所に形成されており、正面視で円形状になっている。
【００１４】
基板本体２１の駆動回路は、制御部から供給される制御信号に基づいて、指針駆動部２２を駆動して、指針１０は、制御信号に応じた回転角度で回動軸２２ａを回転させる。これによって、指針１０が車両速度に応じた所定の回転角度で回転し、指針１０の指示部１１が表示板４０の指標部４１を指示する。
【００１５】
発光素子２４，２５は、夫々、１個以上の発光ダイオード等によって構成される。発光素子２４は、表示板４０を透過照明する。発光素子２５は、指針１０の指示部１１を光輝させる。発光素子２４，２５は、制御部から供給される制御信号に基づいて駆動され、車両運転者によって操作されるイルミネーションスイッチ等に応じてオン／オフされる。
【００１６】
ケース体３０は白色の合成樹脂（例えば、ポリプロピレン）からなり、このケース体３０に回路基板２０が固定されている。ケース体３０は、垂直部３１，傾斜部３２，平行部３３，傾斜部３４，垂直部３５を有している。ケース体３０の垂直部３１は、円筒形状になっており、前端が表示板４０の後面に当接し、後端が回路基板２０の前面に当接している。ケース体３０の垂直部３１は、発光素子２４が発する照明光と、発光素子２５が発する照明光とが混合されることを防ぐ遮光壁になっている。
【００１７】
ケース体３０の傾斜部３２は、垂直部３１の外周面から逆円錐状に広がる形状になっている。ケース体３０の傾斜部３２は、発光素子２４が発した照明光を平行部３３，傾斜部３４に向けて反射させる。ケース体３０の平行部３３は、表示板４０と平行な平板形状になっている。ケース体３０の傾斜部３４は、逆円錐状になっており、平行部３３の外周端に連なっている。ケース体３０の傾斜部３４は、発光素子２４が発した照明光を表示板４０に向けて反射させる。ケース体３０の垂直部３５は、円筒形状になっており、後端が回路基板２０の前面に当接している。ケース体３０の垂直部３５は、傾斜部３４の外周端に連なっている。ケース体３０の垂直部３５は、前端が表示板４０の後面に当接し、後端が回路基板２０の前面に当接している。
【００１８】
表示板４０は、指針１０に指示される指標部４１を有している。表示板４０の指標部４１は、主目盛り部４１ａと、副目盛り部４１ｂと、数字部４１ｃと、赤色領域４１ｄとを有しており、発光素子２４が発した照明光によって透過照明される。数字部４１ｃは、主目盛り部４１ａの近傍に配置されている。表示板４０の主目盛り部４１ａ及び副目盛り部４１ｂは、夫々、矩形になっており、貫通孔４０ｃを中心とした円弧状に配置されている。
【００１９】
液晶表示器５０は、２個の指針式計器（速度計及び回転計）の間に配置されている。液晶表示器５０は、液晶表示パネル５１，接続部材５２，光学シート５３，ケース体５４を有している。液晶表示パネル５１は、透明電極が形成された一対のガラス基板に液晶を封入した液晶セルの前後両面に偏光板を貼着したものである。液晶表示パネル５１には、積算走行距離等の車両情報が表示される。
【００２０】
接続部材５２は、金属ピンからなるものであり、一端が液晶表示パネル５１に電気的に接続され、他端が半田によって回路基板２０に電気的に接続されている。光学シート５３は、光拡散フィルム，輝度上昇フィルム等を適宜組み合わせてなるものであり、液晶表示パネル５１の後面に配設されている。ケース体５４は、白色の樹脂からなるものである。液晶表示パネル５１は、回路基板２０の前面に搭載された図示しない発光素子によって透過照明される。
【００２１】
次に、図４乃至図９に基づいて、表示板４０について、更に詳述する。表示板４０は、ポリカーボネート等の透光性樹脂からなる透光性基板４３の前後面に各種印刷層を形成したものである。透光性基板４３の前面側には、白色層４６，赤色層４７，黒色層４５，オーバーコート層４４，透明突出部４２が印刷形成されている。白色層４６及び赤色層４７は、透光性基板４３の前面に形成されている。
【００２２】
黒色層４５は、白色層４６及び赤色層４７の前面に形成された遮光層である。黒色層４５には開口４５ａ，４５ｂ，４５ｃ，４５ｄが形成されており、これらの開口４５ａ，４５ｂ，４５ｄが、夫々、主目盛り部４１ａ，副目盛り部４１ｂ，数字部４１ｃ，赤色領域４１ｄになっている。オーバーコート層４４は、黒色層４５を覆うように、透光性基板４３の略全域に形成されている。透明突出部４２は、紫外線硬化型インクからなるものである。透明突出部４２は、オーバーコート層４４に積層するように、主目盛り部４１ａ及び数字部４１ｃに対応する個所に形成されている。透明突出部４２は、主目盛り部４１ａ及び数字部４１ｃよりも正面視で、広い範囲に形成されている。
【００２３】
透光性基板４３の後面には、青色層４８及びスモーク層４９が印刷形成されている。青色層４８は、主目盛り部４１ａに対応する個所に形成されており、スモーク層４９は、副目盛り部４２ｂに対応する個所に形成されている。表示板４０の主目盛り部４１ａは、主に青色層４８の作用によって、青色で視認される。表示板４０の副目盛り部４１ｂ及び数字部４１ｃは、主に白色層４６の作用によって、白色で視認される。表示板４０の赤色領域４１ｄは、主に赤色層４７の作用によって赤色で視認される。
【００２４】
副目盛り部４１ｂの長さＬ２は、主目盛り部４１ａの長さＬ１よりも小さくなっている。副目盛り部４１ｂの幅Ｗ２は、主目盛り部４１ａの幅Ｗ１よりも小さくなっている。主目盛り部４１ａに対応する個所に形成された透明突出部４２の長さＬ３は、主目盛り部４１ａの長さＬ１よりも大きくなっている。主目盛り部４１ａに対応する個所に形成された透明突出部４２の幅Ｗ３は、主目盛り部４１ａの幅Ｗ１よりも大きくなっている。
【００２５】
図１０は、比較例を示す図である。主目盛り部４１ａの幅と、透明突出部１４２の幅が同じ場合、透明突出部１４２に位置ずれがあったときに、主目盛り部４１ａに対応する個所に、透明突出部１４２がない領域が生じるため、見栄えが悪い。
【００２６】
図１１及び図１２は、第二実施形態を示すものである。第二実施形態は、第一実施形態に比して表示板４０のみが異なり、他の構成は第一実施形態と同様である。
【００２７】
表示板４０は、ポリカーボネート等の透光性樹脂からなる透光性基板４３の前後面に各種印刷層を形成したものである。透光性基板４３の前面には、オーバーコート層４４がスクリーン印刷にて形成されている。透光性基板４３の後面には、黒色層４５，白色層４６，赤色層４７がスクリーン印刷にて形成されている。
【００２８】
黒色層４５は、透光性基板４３の後面に形成された遮光層である。黒色層４５には開口４５ａ，４５ｂ，４５ｃ，４５ｄが形成されており、これらの開口４５ａ，４５ｂ，４５ｄが、夫々、主目盛り部４１ａ，副目盛り部４１ｂ，数字部４１ｃ，赤色領域４１ｄになっている。オーバーコート層４４は、透光性基板４３の略全域に形成されている。透明突出部４２は、オーバーコート層４４に積層するように、主目盛り部４１ａ及び数字部４１ｃに対応する個所に形成されている。
【００２９】
白色層４６の後面には、青色層４８及びスモーク層４９が印刷形成されている。青色層４８は、主目盛り部４１ａに対応する個所に形成されており、スモーク層４９は、副目盛り部４２ｂに対応する個所に形成されている。表示板４０の主目盛り部４１ａは、主に青色層４８の作用によって、青色で視認される。表示板４０の副目盛り部４１ｂ及び数字部４１ｃは、主に白色層４６の作用によって、白色で視認される。表示板４０の赤色領域４１ｄは、主に赤色層４７の作用によって赤色で視認される。
【００３０】
第一，第二実施形態は、指針１０と、前記指針１０に指示される目盛り部４１ａを有する表示板４０と、を備えた表示装置であって、前記表示板４０は、前記目盛り部４１ａに対応する個所に形成された透明突出部４２を有し、前記透明突出部４２は、前記目盛り部４１ａよりも幅広であるものであり、表示板に立体感があり、且つ、透明突出部の形成位置が、若干ずれたとしても、表示板の見栄えが良好でなくなる虞が少ない。
【００３１】
なお、本発明は、本実施形態に限定されるものではなく、種々の変形が可能であり、例えば、副目盛り部４１ｂに対応する個所にも透明突出部４２を形成しても良い。
【符号の説明】
【００３２】
１０    指針
４０    表示板
４０ｃ  貫通孔
４１    指標部
４１ａ  主目盛り部（目盛り部）
４１ｂ  副目盛り部
４１ｃ  数字部
４２    透明突出部
４３    透光性基板
【図１】
2018040650.tif 000003
【図２】
2018040650.tif 000004
【図３】
2018040650.tif 000005
【図４】
2018040650.tif 000006
【図５】
2018040650.tif 000007
【図６】
2018040650.tif 000008
【図７】
2018040650.tif 000009
【図８】
2018040650.tif 000010
【図９】
2018040650.tif 000011
【図１０】
2018040650.tif 000012
【図１１】
2018040650.tif 000013
【図１２】
2018040650.tif 000014